(57)【特許請求の範囲】
【請求項１】
捕獲室に形成された入口を閉鎖することにより上記入口から侵入した動物を捕獲する動物捕獲器であって、
捕獲室の入口に至る部分において、初期状態で奥に向かって上り傾斜するとともに、入口に侵入しようとする動物が奥に向かって移動することにより奥側が下がるよう揺動する第１シーソー板と、
上記第１シーソー板の上部において、初期状態で奥に向かって下り傾斜して上記入口を閉鎖するとともに、上記第１シーソー板の揺動に連動して跳ね上がることにより上記入口を開放する第２シーソー板とを備え、
上記捕獲室の入口は、上り傾斜した第１シーソー板の先端部分より上側に設けられていることを特徴とする動物捕獲器。
【請求項２】
上記跳ね上がった第２シーソー板が初期状態に戻り、捕獲室に捕らえた動物が入口を閉鎖した第２シーソー板に乗ったときに第２シーソー板をロックする第１ロック手段を備えている請求項１記載の動物捕獲器。
【請求項３】
上記第２シーソー板を跳ね上げた状態でロック可能な第２ロック手段をさらに備えている請求項１または２記載の動物捕獲器。
【請求項４】
捕獲室に形成された入口を閉鎖することにより上記入口から侵入した動物を捕獲する動物捕獲器であって、
捕獲室の入口に至る部分において、初期状態で奥に向かって上り傾斜するとともに、入口に侵入しようとする動物が奥に向かって移動することにより奥側が下がるよう揺動する踏み板と、
上記踏み板の上部において、初期状態で奥に向かって下り傾斜して上記入口を閉鎖するとともに、上記踏み板の揺動に連動して跳ね上がることにより上記入口を開放する開閉板とを備え、
上記捕獲室の入口は、上り傾斜した踏み板の先端部分より上側に設けられていることを特徴とする動物捕獲器。
【請求項５】
上記跳ね上がった開閉板が初期状態に戻ったときに開閉板をロックする第３ロック手段を備えている請求項４記載の動物捕獲器。
【請求項６】
上記開閉板を跳ね上げた状態でロック可能な第４ロック手段をさらに備えている請求項４または５記載の動物捕獲器。
【発明の詳細な説明】
【技術分野】
【０００１】
本発明は、ネズミ等の動物を捕獲するために使用される動物捕獲器に関する。
【背景技術】
【０００２】
従来より、ネズミ等の動物を捕獲するために、例えば下記の特許文献１に示すように、シーソー板を利用した動物捕獲箱が提供されている。この動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記動物捕獲箱は、シーソーの奥側がいっきに下がったときに磁石の吸引力で固定するようになっている。このため、捕獲された動物が驚いて暴れだすと磁石が外れてしまい、せっかく捕獲した動物に逃げられてしまうという問題がある。一方、鼠等の動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。また、１匹ないし２匹捕獲するのがせいぜいで、連続的に何匹も捕獲することができず、捕獲状況を頻繁に確認して１匹でも掛かっていれば捕獲された動物を取り出して初期状態に戻し、仕掛けなおさなければならない。
【０００５】
本発明は、上記課題を解決するためになされたものであり、動物を逃がすことなく確実に捕獲することができる動物捕獲器を提供することをその目的とする。
【課題を解決するための手段】
【０００６】
上記の目的を達成するため、本発明の第１の動物捕獲器は、捕獲室に形成された入口を閉鎖することにより上記入口から侵入した動物を捕獲する動物捕獲器であって、
捕獲室の入口に至る部分において、初期状態で奥に向かって上り傾斜するとともに、入口に侵入しようとする動物が奥に向かって移動することにより奥側が下がるよう揺動する第１シーソー板と、
上記第１シーソー板の上部において、初期状態で奥に向かって下り傾斜して上記入口を閉鎖するとともに、上記第１シーソー板の揺動に連動して跳ね上がることにより上記入口を開放する第２シーソー板とを備え、
上記捕獲室の入口は、上り傾斜した第１シーソー板の先端部分より上側に設けられていることを要旨とする。
【０００７】
上記の目的を達成するため、本発明の第２の動物捕獲器は、捕獲室に形成された入口を閉鎖することにより上記入口から侵入した動物を捕獲する動物捕獲器であって、
捕獲室の入口に至る部分において、初期状態で奥に向かって上り傾斜するとともに、入口に侵入しようとする動物が奥に向かって移動することにより奥側が下がるよう揺動する踏み板と、
上記踏み板の上部において、初期状態で奥に向かって下り傾斜して上記入口を閉鎖するとともに、上記踏み板の揺動に連動して跳ね上がることにより上記入口を開放する開閉板とを備え、
上記捕獲室の入口は、上り傾斜した踏み板の先端部分より上側に設けられていることを要旨とする。
【発明の効果】
【０００８】
本発明の第１の動物捕獲器によれば、動物が入口から侵入する際には、まず、第１シーソー板の上を奥に向かって移動することにより、第１シーソー板が奥側が下がるよう揺動する。すると、第１シーソー板の揺動に連動して第２シーソー板が跳ね上がるよう揺動し、これにより開放された入口から動物が捕獲室内に侵入する。動物が捕獲室内に侵入して第１シーソー板の上から外れると、第１シーソー板は元の傾斜に戻るよう揺動し、この揺動に連動して第２シーソー板も初期状態に戻るよう揺動する。このとき、上記捕獲室の入口が上り傾斜した第１シーソー板の先端部分より上側に設けられていることから、捕獲室内の動物は第２シーソー板が戻るのに気づくのが遅れ、第２シーソー板が元に戻って入口が閉鎖されてしまうと、動物は逃げられなくなって確実に捕獲できる。
【０００９】
本発明において、上記跳ね上がった第２シーソー板が初期状態に戻り、捕獲室に捕らえた動物が入口を閉鎖した第２シーソー板に乗ったときに第２シーソー板をロックする第１ロック手段を備えている場合には、
例えば捕獲室の中に餌を置いて餌付けをしながら複数の動物を一網打尽に捕らえようとする場合、捕獲室の中に動物がいる状態でつぎの動物が侵入しようとすると第２シーソー板が揺動して入口が開いてしまい、捕獲室内の動物に逃げられてしまうが、第２シーソー板が第１ロック手段でロックされると、上述したようなことが起こらず、侵入した動物は入口から出られなくなる。
【００１０】
本発明において、上記第２シーソー板を跳ね上げた状態でロック可能な第２ロック手段をさらに備えている場合には、
第２ロック手段によって第２シーソー板を跳ね上げた状態でロックしておくことにより、入口から捕獲室まで動物が自由に行き来できる状態となる。この状態でいわば餌付けをして慣れされ、安心させた段階で、第２ロック手段による上記ロックを解除し、上述した捕獲を開始することができる。このため、警戒心の強い動物を安心させて効果的に捕獲することができる。
【００１１】
本発明の第２の動物捕獲器によれば、動物が入口から侵入する際には、まず、踏み板の上を奥に向かって移動することにより、踏み板が奥側が下がるよう揺動する。すると、踏み板の揺動に連動して開閉板が跳ね上がるよう揺動し、これにより開放された入口から動物が捕獲室内に侵入する。動物が捕獲室内に侵入して踏み板の上から外れると、踏み板は元の傾斜に戻るよう揺動し、この揺動に連動して開閉板も初期状態に戻るよう揺動する。このとき、上記捕獲室の入口が上り傾斜した踏み板の先端部分より上側に設けられていることから、捕獲室内の動物は開閉板が戻るのに気づくのが遅れ、開閉板が元に戻って入口が閉鎖されてしまうと、動物は逃げられなくなって確実に捕獲できる。
【００１２】
本発明において、上記跳ね上がった開閉板が初期状態に戻ったときに開閉板をロックする第３ロック手段を備えている場合には、
例えば捕獲室の中に餌を置いて餌付けをしながら複数の動物を一網打尽に捕らえようとする場合、捕獲室の中に動物がいる状態でつぎの動物が侵入しようとすると開閉板が揺動して入口が開いてしまい、捕獲室内の動物に逃げられてしまうが、開閉板が第３ロック手段でロックされると、上述したようなことが起こらず、侵入した動物は入口から出られなくなる。
【００１３】
本発明において、上記開閉板を跳ね上げた状態でロック可能な第４ロック手段をさらに備えている場合には、
第４ロック手段によって開閉板を跳ね上げた状態でロックしておくことにより、入口から捕獲室まで動物が自由に行き来できる状態となる。この状態でいわば餌付けをして慣れされ、安心させた段階で、第４ロック手段による上記ロックを解除し、上述した捕獲を開始することができる。このため、警戒心の強い動物を安心させて効果的に捕獲することができる。
【図面の簡単な説明】
【００１４】
【図１】本発明の第１実施形態における動物捕獲器の全体構造を示す斜視図である。
【図２】上記動物捕獲器の構造および動作を説明するための断面図である。
【図３】第１ロック機構の構造を説明する図である。
【図４】第１ロック機構の作用を説明する図である。
【図５】第２ロック機構を説明する図である。
【図６】捕獲室と捕獲構造部の接続構造を説明する図である。
【図７】本発明の第２実施形態における動物捕獲器の全体構造を示す図である。
【図８】本発明の第３実施形態における動物捕獲器の構造を示す斜視図である。
【図９】上記第３実施形態の捕獲構造を示す図である。
【図１０】上記第３実施形態における第４ロック機構を説明する図である。
【図１１】上記第３実施形態の作用を説明する図である。
【図１２】本発明の第４実施形態における動物捕獲器の構造の要部を示す斜視図である。
【図１３】上記第４実施形態の捕獲構造を示す図である。
【発明を実施するための形態】
【００１５】
以下、本発明の動物捕獲器の実施形態について、図面を参照して詳細に説明する。
【００１６】
図１は、この第１実施形態における動物捕獲器の全体構造を示す斜視図であり、図２は捕獲構造部の初期状態および動作を説明するための断面図である。図３は第１ロック機構を示す図であり、図５は第２ロック機構を説明する図である。
【００１７】
この動物捕獲器は、入口２を有する捕獲室１と、上記捕獲室１の入口に取り付けられる捕獲構造部５とを備えている。この動物捕獲器は、捕獲構造部５を通過して入口２から動物が進入したときに、捕獲構造部５によって入口２を閉鎖して侵入した動物を捕獲するようになっている。
【００１８】
上記捕獲室１は、この例では直方体の箱状であり、前側に開閉蓋６付きの入口２が設けられている。上記入口２は、捕獲室１前面の上半分が開口することにより形成されている。言い換えると、上記捕獲室１の入口２は、後述する上り傾斜した第１シーソー板１１の先端部分より上側に設けられている。上記開閉蓋６はヒンジ部９を介して上下回動して入口２を開閉するようになっている。
【００１９】
そして、上記捕獲室１の入口２を覆うような状態で捕獲構造部５が取り付けられる。上記捕獲構造部５は捕獲室１に対して着脱可能になっており、捕獲室１に鼠等を捕らえたときに取り外して、新しい捕獲室１を取り付けて仕掛けることができる。このとき取り外した捕獲室１は、開閉蓋６を閉めて鼠等を捕らえたまま、まとめて搬送したり処分したりすることが可能である。このとき、開閉蓋６は図示しないロック構造によりロックすることができる。
【００２０】
図２は、捕獲構造部５の構造および動作を説明する断面図である。図２の実線で示したのが初期状態である。
【００２１】
捕獲構造部５は、この例では直方体の箱状であり、背面に捕獲室１の入口２に対応する連通開口１０が設けられ、前面には、動物が侵入する侵入口３が設けられている。捕獲構造部５と捕獲箱１は、入口２と連通開口１０が合うように接合される。
【００２２】
上記捕獲構造部５の内部には、捕獲室１の入口２に至る部分において、初期状態で奥に向かって上り傾斜するとともに、入口２に侵入しようとする動物が奥に向かって移動することにより奥に向かって下り傾斜するよう揺動する第１シーソー板１１が設けられている。上記第１シーソー板１１は、侵入口３側の第１軸１１ａに軸支されて前後に揺動するようになっている。すなわち、第１シーソー板１１は、第１軸１１ａの手前側よりも奥側が長くなっている。
【００２３】
上記第１シーソー板１１の上には、上記第１シーソー板１１の上部において、初期状態で奥に向かって下り傾斜して上記入口２を閉鎖するとともに、上記第１シーソー板１１の揺動に連動して跳ね上がることにより上記入口２を開放する第２シーソー板１２が設けられている。
【００２４】
上記第２シーソー板１２は、中央よりやや前側に配置された第２軸１２ａを中心に前後揺動することにより、入口２を開閉するようになっている。すなわち、初期状態で奥に向かって下り傾斜した状態で入口２を閉鎖し、跳ね上がった状態（図において鎖線で示す位置である）において、入口２を開放する。
【００２５】
上記第１シーソー板１１の第１軸１１ａよりも奥側の上部と、第２シーソー板１２の第２軸１２ａ下部とが、連結棒１５によって連結されている。上記連結棒１５の存在により、第１シーソー板１１が第１軸１１ａを中心に揺動すると、その揺動に連動して第２シーソー板１２が第２軸１２ａを中心に揺動する。連結棒１５を第２軸１２ａの下部に垂下した固定部に連結したため、動物が乗ったときの第１シーソー板１１の上下動範囲を少なくでき、第１シーソー板１１の少ない動きで第２シーソー板１２を十分に揺動させることができる。上記第２シーソー板１２は、第２軸１２ａの手前側よりも奥側が少し長くなっている。
【００２６】
また、上記跳ね上がった第２シーソー板１２が初期状態に戻り、捕獲室１に捕らえた動物が入口２を閉鎖した第２シーソー板１２に乗ったときに第２シーソー板１２をロックする第１ロック機構２１（本発明の第１ロック手段である）を備えている。
【００２７】
図３は、上記第１ロック機構２１の構造を説明する図である。
【００２８】
上記第１ロック機構２１は、捕獲構造部５背面の連通開口１０の下縁部に設けられている。上記第１ロック機構２１は、捕獲構造部５の両側壁に水平に架設される軸１６の左右に、ロック片１７が軸支されて構成されている。ロック片１７は、側面視で逆さＬ字状に屈曲された金属板からなり、横片の左右に軸１６が挿通される軸支板１８が形成されている。軸１６が連通開口１０の下縁部に沿って配置され、それに軸支されたロック片１７の横片が上下に回動するようになっている。
【００２９】
図４は、上記第１ロック機構２１の動作を説明する図である。
【００３０】
上記第１ロック機構２１は、第２シーソー板１２が跳ね上がった状態から再び初期状態に戻っただけではロックはかからない。すなわち、第２シーソー板１２の重みだけでは作動しない。しかし、捕獲室１動物を捕らえた後、跳ね上がった第２シーソー板１２が初期状態に戻って入口２を閉鎖し、捕獲室１に捕らえられた動物が第２シーソー板１２に乗ったときに、その重みで第２シーソー板１２の先端がロック片１７の横片に当たってロック片１７を回動させ、先端がロック片１７の横片よりも下側に位置してロックがかかるようになっている。そうすると、第２シーソー板１２を跳ね上げようとしても、先端がロック片１７に引っかかった状態で動物は逃げられなくなるのである。
【００３１】
図５は、上記第２シーソー板１２を跳ね上げた状態でロック可能な第２ロック機構２２（本発明の第２ロック手段である）を説明するための図である。
【００３２】
上記第２ロック機構２２は、捕獲構造部５の天井に形成された貫通穴１３と、上記貫通穴１３に挿通されて第２シーソー板１２の手前側を上から押し下げるための錘棒１４とを備えて構成されている。上記錘棒１４は、貫通穴１３を通過して落ちてしまわないように、貫通穴１３より大きめの頭部が形成されている。貫通穴１３に錘棒１４を挿通することにより、上記第２シーソー板１２を跳ね上げた状態でロックすることができる。
【００３３】
このような構成の動物捕獲器は、例えばつぎのようにして動作して動物を捕獲する。
【００３４】
まず、捕獲室１内に餌を仕掛けて第２ロック機構２２で第２シーソー板１２を跳ね上げてロックした状態で、動物捕獲器を動物の通り道等に配置しておく。この状態では、入口２が開放されており、動物は、侵入口３、連通開口１０および入口２を通って捕獲室１内に自由に出入りできる。このとき、第２シーソー板１２は第２ロック機構２２でロックされてほとんど動かないため、それに連動する第１シーソー板１１は動物がその上で行き来してもほとんど揺動しない。このため、動物に警戒心を与えることなく、動物を慣れさせ、いわば餌付けをすることができる。
【００３５】
そして、ある程度餌が食べられ、餌付けされた頃を見計らって、第２ロック機構２２のロックを解除し、図２に示す初期状態に戻す（図２の実線で示した状態である）。
【００３６】
この状態で動物が侵入口３から侵入して第１シーソー板１１に乗ると、第１シーソー板１１がわずかに奥側が下がるように揺動し、それに連動して第２シーソー板１２が跳ね上がるよう揺動して入口２が開く（図２の鎖線で示した状態である）。すると奥の餌が見えるので、動物は餌に向かって進む。動物が第１シーソー板１１の上から外れると、第１シーソー板１１および第２シーソー板１２が元に戻るように揺動して入口２が第２シーソー板１２で閉鎖され、侵入した動物は出られなくなる。
【００３７】
そして、例えば、餌付けを十分に行って複数の動物が捕獲室１内に入ったときに、そのうち１匹が出ようとして第２シーソー板１２に乗ったとき、その重みで第２シーソー板１２の先端が第１ロック機構２１でロックされ、再び第２シーソー板１２が跳ね上げられて動物に逃げられることがない。このようにして、捕獲室１に形成された入口２を閉鎖することにより入口２から侵入した動物を捕獲することができる。
【００３８】
このように、本実施形態の動物捕獲器によれば、動物が入口２から侵入する際には、まず、第１シーソー板１１の上を奥に向かって移動することにより、第１シーソー板１１が奥側が下がるよう揺動する。すると、第１シーソー板１１の揺動に連動して第２シーソー板１２が跳ね上がるよう揺動し、これにより開放された入口２から動物が捕獲室１内に侵入する。動物が捕獲室１内に侵入して第１シーソー板１１の上から外れると、第１シーソー板１１は元の傾斜に戻るよう揺動し、この揺動に連動して第２シーソー板１２も初期状態に戻るよう揺動する。このとき、上記捕獲室１の入口２が上り傾斜した第１シーソー板１１の先端部分より上側に設けられていることから、捕獲室１内の動物は第２シーソー板１２が戻るのに気づくのが遅れ、第２シーソー板１２が元に戻って入口２が閉鎖されてしまうと、動物は逃げられなくなって確実に捕獲できる。
【００３９】
また、上記跳ね上がった第２シーソー板１２が初期状態に戻り、捕獲室１に捕らえた動物が入口２を閉鎖した第２シーソー板１２に乗ったときに第２シーソー板１２をロックする第１ロック機構２１を備えているため、
例えば捕獲室１の中に餌を置いて餌付けをしながら複数の動物を一網打尽に捕らえようとする場合、捕獲室１の中に動物がいる状態でつぎの動物が侵入しようとすると第２シーソー板１２が揺動して入口２が開いてしまい、捕獲室１内の動物に逃げられてしまうが、第２シーソー板１２が第１ロック機構２１でロックされると、上述したようなことが起こらず、侵入した動物は入口２から出られなくなる。
【００４０】
また、上記第２シーソー板１２を跳ね上げた状態でロック可能な第２ロック機構２２をさらに備えているため、
第２ロック機構２２によって第２シーソー板１２を跳ね上げた状態でロックしておくことにより、入口２から捕獲室１まで動物が自由に行き来できる状態となる。この状態でいわば餌付けをして慣れされ、安心させた段階で、第２ロック機構２２による上記ロックを解除し、上述した捕獲を開始することができる。このため、警戒心の強い動物を安心させて効果的に捕獲することができる。
【００４１】
図６は、捕獲室１と捕獲構造部５の接続構造の一例を示す図である。
【００４２】
この例では、捕獲室１の上面に、ワイヤ２７を掛け渡して固定する一方、捕獲構造部５の上部後端に、上記ワイヤ２７に引っ掛けるためのフック２６を設けている。上記フック２６をワイヤ２７に引っ掛けて捕獲室１と捕獲構造部５の接続する。
【００４３】
図７は、本発明の第２実施形態を示す。
【００４４】
この例は、捕獲室１に一旦捕らえた動物を別の捕獲空間に溜めることにより、連続的に多くの動物を捕獲できるようにしたものである。
【００４５】
この実施形態は、捕獲室１および捕獲構造部５の主要な構造は、上記第１実施形態と同様であるので、以下、重複する説明は省略する。この実施形態では、第１ロック機構２１が設けられていない。また、捕獲構造部５の天井に、捕獲室１に捕らえた動物の出口１９を設け、出口１９には大型の捕獲箱２０に連通する通路２３が接続されている。
【００４６】
上記通路２３の途中には、逆行阻止構造部２５が設けられ、通路２３と捕獲箱２０の接続部分には、捕獲箱２０に入った鼠が出られないようにするための返し部２４が設けられている。
【００４７】
上記逆行阻止構造部２５は、この例では、捕獲構造部５と同様の第１シーソー板３１と第２シーソー板３２とを備え、第２シーソー板３２の上部空間に動物の逆行を阻止する阻止板３３が設けられている。上記返し部２４は、通路２３と捕獲箱２０の接合部に設けたドーナツ板３４の円周上に、多数のワイヤ３５を先窄まり状に貫通させて配置したものである。
【００４８】
この例では、捕獲された動物は、入ってきたほうに向かって戻って逃げようとする習性があるため、捕獲室１から入口２に向かって突き進む。そうすると、動物は第２シーソー板１２上の坂道を登って出口１９から通路を通って先に進む。そして、逆行阻止構造部２５および返し部２４を通過して捕獲箱２０内にいたる。そうすると、捕獲室１は空室になるため、再びつぎの動物を捕獲できる状態になる。
【００４９】
そして、つぎの動物が上述した動作と同様にして入口２から侵入し、捕獲室１に捕獲し、さらに捕獲箱２０に捕獲する。このような捕獲動作を繰り返すことにより、連続的に動物を捕獲できる。このとき、逆行阻止構造部２５を通過した動物は再び捕獲室１に戻ることはない。同様に、返し部２４を通過した動物は捕獲箱２０を出ることはない。
【００５０】
上記逆行阻止構造部２５は、通路に複数設けることもできる。このようにすることにより、捕獲室１に捕らえた動物は、複数の逆行阻止構造部２５でつぎつぎと捕獲箱２０に誘導して連続捕獲をすることができる。
【００５１】
図８〜図１１は、本発明の第３実施形態を示す。
【００５２】
この動物捕獲器は、捕獲室４１の前面に入口４２が設けられ、上記入口４２の周辺部分に捕獲構造４５が設けられて構成されている。捕獲室４１に形成された入口４２を閉鎖することにより上記入口４２から侵入した動物を捕獲する。
【００５３】
上記捕獲構造４５は、捕獲室４１の入口４２に至る部分において、初期状態で奥に向かって上り傾斜するとともに、入口４２に侵入しようとする動物が奥に向かって移動することにより奥側が下がるよう揺動する踏み板５１と、
上記踏み板５１の上部において、初期状態で奥に向かって下り傾斜して上記入口４２を閉鎖するとともに、上記踏み板５１の揺動に連動して跳ね上がることにより上記入口４２を開放する開閉板５２とを備えて構成されている。
【００５４】
より詳しく説明すると、捕獲室４１は直方体状であり、その前面に開口した入口４２の周囲に枠体４３が設けられている。枠体４３には水平軸５２ａが架設され、この水平軸５２ａに軸支された作動板５３の根元に開閉板５２が取り付けられている。上記作動板５３の先端部には、作動板５３を下方に牽引して開閉板５２の下側部を跳ね上げるための牽引ワイヤ５４が取り付けられている。上記牽引ワイヤ５４は、コ字状に屈曲成形され、両開放端が作動板５３に固定されている。
【００５５】
上記枠体４３の下辺部には、上記跳ね上がった開閉板５２が初期状態に戻ったときに開閉板５２をロックする第３ロック機構６１が設けられている。上記第３ロック機構６１は、枠体４３の下辺に沿って水平に架設された軸６３に軸支された断面略Ｌ字状のロック片６４を備えて構成されている。上記ロック片６４は、枠体４３の下辺部中央に折り曲げ形成された足場板５５の両側にそれぞれ形成されている。
【００５６】
入口４２は、枠体４３の下半部に開口している。言い換えると。開閉板５２を軸支する水平軸５２ａと、枠体４３の下辺部の足場板５５との間で開口している。また、開閉板５２を軸支する水平軸５２ａの奥側には、中天井板５６が設けられている。このように、上記捕獲室４１の入口４２は、上り傾斜した踏み板５１の先端部分より上側に設けられている。
【００５７】
図９（Ｄ）（Ｅ）は第３ロック機構６１の動作を説明する図である。上記ロック片６４は、Ｌ字状の長片が軸支されて軸６３を中心として回動する。跳ね上がった開閉板５２が初期状態に戻るときに、開閉板５２の下端部がロック片６４の長片上端部に当たってロック片６４を回動させる。そして、開閉板５２の下端部がロック片６４の長片上端部を超え、ロック片６４が元の位置に戻った状態で開閉板５２がロックされる。
【００５８】
一方、捕獲室４１の前側には、踏み板５１が配置される。上記踏み板５１は、ワイヤーをコ字状に屈曲形成して両開放端を鉤状にした位置決めホルダ５７に取り付けられている。上記位置決めホルダ５７は、鉤状に形成したフック部が捕獲室４１の側面の穴に差し込まれている。上記位置決めホルダ５７の中央バー部に、踏み板５１の根元辺部が回動可能に取り付けられている。一方、上記踏み板５１の先端辺には、上記牽引ワイヤ５４に引っ掛けるための凸片５８が形成されている。
【００５９】
上記動物捕獲器では、初期状態では、開閉板５２が奥側を下り傾斜にしてセットされ、開閉板５２の下半部で入口４２が閉じられている。このとき、第３ロック機構６１は開閉板５２をロックしていない。この状態で、踏み板５１の上に動物が載ると、その重みで牽引ワイヤ５４が下方に牽引され、作動板５３を回動させて開閉板５２を回動させ、その下側部を上方に跳ね上げ、入口４２が開放される。
【００６０】
捕獲室４１内の誘引剤や餌に誘引されて、動物は入口４２から捕獲室４１内部に侵入する。侵入してしまうと、踏み板５１と牽引ワイヤ５４にかかっていた荷重は解除され、開閉板５２は元に戻るように回動する。そして、初期状態に戻ったときに、第３ロック機構６１によって開閉板５２がロックされ、動物は捕獲室４１内に閉じ込められて捕獲される。
【００６１】
本実施形態では、上記開閉板５２を跳ね上げた状態でロック可能な第４ロック機構をさらに備えている。これにより、警戒心の強い動物を捕獲する場合は、第４ロック機構により、予め開閉板５２を跳ね上げて入口４２を開放した状態でロックし、ある程度の期間放置していわゆる餌付けを行う。餌付けができたら第４ロック機構のロックを解除して上述した初期状態に戻し、捕獲できる状態にする。
【００６２】
図１０は、第４ロック機構の具体例を示す図である。（Ａ）は第１例であり、開閉板５２の上半部に形成された穴６５ａにロック錘６５を差し込み、ロック錘６５の重量により開閉板５２を回動させて下半部を跳ね上げた状態でロックする。（Ｂ）は第２例であり、枠体４３の上部に側面視Ｌ字状のロック片６６を軸支している。ロックしない状態では、鎖線で示すようにロック片６６は跳ね上げておけばよい。ロックするときは、実線で示したように、ロック片６６を下側に回動させ、Ｌ字の短片を前方に突出させる。これにより、開閉板５２はＬ字の短片と干渉して下半部が跳ね上げられた状態でロックする。
【００６３】
図１１は、踏み板５１を収容した状態を示す。動物捕獲器自体を格納したり搬送したりするときは、図示のように、踏み板５１を位置決めホルダ５７ごと回動させて捕獲室４１の上に載置することが行われる。
【００６４】
本実施形態の動物捕獲器によれば、動物が入口４２から侵入する際には、まず、踏み板５１の上を奥に向かって移動することにより、踏み板５１が奥側が下がるよう揺動する。すると、踏み板５１の揺動に連動して開閉板５２が跳ね上がるよう揺動し、これにより開放された入口４２から動物が捕獲室４１内に侵入する。動物が捕獲室４１内に侵入して踏み板５１の上から外れると、踏み板５１は元の傾斜に戻るよう揺動し、この揺動に連動して開閉板５２も初期状態に戻るよう揺動する。このとき、上記捕獲室４１の入口４２が上り傾斜した踏み板５１の先端部分より上側に設けられていることから、捕獲室４１内の動物は開閉板５２が戻るのに気づくのが遅れ、開閉板５２が元に戻って入口４２が閉鎖されてしまうと、動物は逃げられなくなって確実に捕獲できる。
【００６５】
また、上記跳ね上がった開閉板５２が初期状態に戻ったときに開閉板５２をロックする第３ロック機構６１を備えているため、
例えば捕獲室４１の中に餌を置いて餌付けをしながら複数の動物を一網打尽に捕らえようとする場合、捕獲室４１の中に動物がいる状態でつぎの動物が侵入しようとすると開閉板５２が揺動して入口４２が開いてしまい、捕獲室４１内の動物に逃げられてしまうが、開閉板５２が第３ロック機構６１でロックされると、上述したようなことが起こらず、侵入した動物は入口４２から出られなくなる。
【００６６】
また、上記開閉板５２を跳ね上げた状態でロック可能な第４ロック機構をさらに備えているため、
第４ロック機構によって開閉板５２を跳ね上げた状態でロックしておくことにより、入口４２から捕獲室４１まで動物が自由に行き来できる状態となる。この状態でいわば餌付けをして慣れされ、安心させた段階で、第４ロック機構による上記ロックを解除し、上述した捕獲を開始することができる。このため、警戒心の強い動物を安心させて効果的に捕獲することができる。
【００６７】
図１２、図１３は、本発明の第４実施形態を示す。
【００６８】
この実施形態は、踏み板の構造以外は上記第３実施形態と同様であり、同様の部分には同じ符号を付して説明を省略している。
【００６９】
この例では、枠体４３の下辺部にフック７１を介してベース板７２が取り付けられ、ベース板７２の両側に屈曲形成された軸受板７３に架設された軸７３ａに踏み板７４が軸支されている。踏み板７４の回動先端部は、牽引ワイヤ５４の中央バーに載置されている。これにより、踏み板７４上に動物が載って荷重がかかると、牽引ワイヤ５４を牽引して開閉板５２を回動させるようになっている。
【００７０】
上記踏み板７４には、誘導板７５の先端部が載置されている。
【００７１】
上記誘導板７５は、ベース板７２の後端部に立設されたフック７６で位置決めされている。上記誘導板７５は、先端側が踏み板７４上に載置され、反対の後端側が設置面に接地されている。これにより、誘導板７５に動物が載ることによる重みが踏み板７４に伝わって開閉板５２が回動するようになっている。
【００７２】
この構造では、踏み板７４と誘導板７５を合わせて第３実施形態の踏み板５１程度の大きさにすることにより、踏み板７４自体を大幅に小さくすることができる。そして、踏み板７４、誘導板７５、ベース板７２を捕獲室４１から取り外してコンパクトに収容や搬送を行なうことができる。
【００７３】
なお、上記各実施形態において、捕らえる動物は、ネズミのような小動物だけでなく、アライグマ等の捕獲にも有効である。これらの動物は、集団で動くために餌付けにより複数を一網打尽に連続捕獲することができる。
【００７４】
また、捕獲室４１や捕獲箱２０としては直方体の箱状のものに限らず、容器形状としては各種のものを採用することができる。また、第１ロック機構２１や第２ロック機構２２として、例示した構造のものに限定するものではなく、第２シーソー板１２の揺動を規制してロックしうるものであれば、各種の形態を採用することができる。
【００７５】
また、第３および第４の実施形態においても、第３ロック機構６１や第４ロック機構として、例示した構造のものに限定するものではなく、開閉板５２の揺動を規制してロックしうるものであれば、各種の形態を採用することができる。
【符号の説明】
【００７６】
１：捕獲室
２：入口
３：侵入口
５：捕獲構造部
６：開閉蓋
９：ヒンジ部
１０：連通開口
１１：第１シーソー板
１１ａ：第１軸
１２：第２シーソー板
１２ａ：第２軸
１３：貫通穴
１４：錘棒
１５：連結棒
１６：軸
１７：ロック片
１８：軸支板
１９：出口
２０：捕獲箱
２１：第１ロック機構
２２：第２ロック機構
２３：通路
２４：返し部
２５：逆行阻止構造部
２６：フック
２７：ワイヤ
３１：第１シーソー板
３２：第２シーソー板
３３：阻止板
３４：ドーナツ板
３５：ワイヤ
４１  捕獲室
４２  入口
４３  枠体
４５  捕獲構造
５１  踏み板
５２  開閉板
５２ａ  水平軸
５３  作動板
５４  牽引ワイヤ
５５  足場板
５６  中天井板
５７  位置決めホルダ
５８  凸片
６１  第３ロック機構
６３  軸
６４  ロック片
６５  ロック錘
６５ａ  穴
６６  ロック片
７１  フック
７２  ベース板
７３  軸受板
７３ａ  軸
７４  踏み板
７５  誘導板
７６  フック
【図１】
0005475741.tif 000002
【図２】
0005475741.tif 000003
【図３】
0005475741.tif 000004
【図４】
0005475741.tif 000005
【図５】
0005475741.tif 000006
【図６】
0005475741.tif 000007
【図７】
0005475741.tif 000008
【図８】
0005475741.tif 000009
【図９】
0005475741.tif 000010
【図１０】
0005475741.tif 000011
【図１１】
0005475741.tif 000012
【図１２】
0005475741.tif 000013
【図１３】
0005475741.tif 000014